(57)【要約】【課題】バッテリー残量管理システムから取り外された状態のバッテリーのバッテリー残量を管理できるようにするとともに、複数のバッテリーのバッテリー残量を並列に管理できるようにする。【解決手段】残量記憶部は、複数のバッテリーについて、識別情報、前回の電源オフ時刻、及びこの電源オフ時刻におけるバッテリー残量を対応付けて記憶する。ＣＰＵは、(S4005)において、現在の時刻と、バッテリー残量の表示対象となるバッテリーの識別情報に対応付けて残量記憶部に記憶されている電源オフ時刻との差に基づいて、この電源オフ時刻からの経過時間を算出し、(S4006)において、(S4005)で算出した経過時間に基づいて、経過時間中の消費電荷量を算出し、(S4007)において、前記表示対象となるバッテリーの識別情報に対応付けて残量記憶部により記憶されているバッテリー残量、及び(S4006)で算出した消費電荷量に基づいて、現在のバッテリー残量を算出する。【選択図】図９
2011220973.tif 000002
【特許請求の範囲】
【請求項１】
装着部に接続されるバッテリーのバッテリー残量を表示し、電源の供給により駆動されるバッテリー残量管理システムであって、
複数のバッテリーについて、識別情報、当該バッテリーが前記装着部に接続されている状態で前記電源が前回オフされた電源オフ時刻、及び当該電源オフ時刻におけるバッテリー残量を対応付けて記憶する残量記憶部と、
現在の時刻を測定する時刻測定部と、
バッテリー残量の表示対象となるバッテリーの識別情報を特定する特定部と、
前記時刻測定部により測定された現在の時刻と、前記特定部により特定された識別情報に対応付けて前記残量記憶部に記憶されている電源オフ時刻との差に基づいて、当該電源オフ時刻からの経過時間を算出する経過時間算出処理、
前記経過時間算出処理により算出した経過時間に基づいて、当該経過時間中の消費電荷量を算出する消費電荷量算出処理、及び
前記特定部により特定された識別情報に対応付けて前記残量記憶部により記憶されているバッテリー残量、及び前記消費電荷量算出処理により算出した消費電荷量に基づいて、現在のバッテリー残量を算出するバッテリー残量算出処理を実行する制御部と、
前記制御部により算出された現在のバッテリー残量を表示する表示部とを備えたバッテリー残量管理システム。
【請求項２】
装着部に接続されるバッテリーのバッテリー残量を表示し、電源の供給により駆動されるバッテリー残量管理システムであって、
複数のバッテリーについて、識別情報、前記電源をオンにしている状態でバッテリーが前記装着部から前回取り外された電源オフ時刻、及び当該電源オフ時刻におけるバッテリー残量を対応付けて記憶する残量記憶部と、
現在の時刻を測定する時刻測定部と、
バッテリー残量の表示対象となるバッテリーの識別情報を特定する特定部と、
前記時刻測定部により測定された現在の時刻と、前記特定部により特定された識別情報に対応付けて前記残量記憶部に記憶されている電源オフ時刻との差に基づいて、当該電源オフ時刻からの経過時間を算出する経過時間算出処理、
前記経過時間算出処理により算出した経過時間に基づいて、当該経過時間中の消費電荷量を算出する消費電荷量算出処理、及び
前記特定部により特定された識別情報に対応付けて前記残量記憶部により記憶されているバッテリー残量、及び前記消費電荷量算出処理により算出した消費電荷量に基づいて、現在のバッテリー残量を算出するバッテリー残量算出処理を実行する制御部と、
前記制御部により算出された現在のバッテリー残量を表示する表示部とを備えたバッテリー残量管理システム。
【請求項３】
請求項１又は２のバッテリー残量管理システムにおいて、
前記電源がオンされた状態で前記装着部に装着されているバッテリーについて、当該バッテリーが前記装着部に装着され、かつ前記電源がオンされた状態の成立時から現在までの使用量を取得する使用量取得部をさらに備え、
前記制御部は、前記経過時間算出処理、消費電荷量算出処理、及びバッテリー残量算出処理とを、前記状態の成立時に実行し、当該バッテリーが装着部に装着されている間、前記状態の成立時に算出したバッテリー残量から前記使用量取得部により取得された使用量を減算することにより現在のバッテリー残量を算出することを特徴とするバッテリー残量管理システム。
【請求項４】
請求項１又は２のバッテリー残量管理システムにおいて、
前記電源がオンされた状態で前記装着部に装着されているバッテリーについて、当該バッテリーが前記装着部に装着され、かつ前記電源がオンされた状態の成立時から現在までの使用量を取得する使用量取得部と、
前記装着部に装着されているバッテリーの電圧を測定する電圧測定部と、
前記装着部に装着されたバッテリーを充電する充電部とをさらに備え、
前記状態の成立時に前記充電部による充電が行われたとき、前記制御部は、当該充電の完了時に、前記電圧測定部により測定されている電圧に基づいてバッテリー残量初期値を算出し、当該バッテリーが前記装着部に装着されている間、前記バッテリー残量初期値から前記使用量取得部により取得された使用量を減算することにより現在のバッテリー残量を算出することを特徴とするバッテリー残量管理システム。
【請求項５】
請求項１又は２のバッテリー残量管理システムにおいて、
前記電源がオンされた状態で前記装着部に装着されているバッテリーについて、当該バッテリーが装着され、かつ前記電源がオンされた状態の成立時から現在までの使用量を取得する使用量取得部と、
前記装着部に装着されているバッテリーの電圧を測定する電圧測定部とをさらに備え、
前記制御部は、前記状態の成立時に、前記電圧測定部により測定されている測定電圧と、当該バッテリーを前回取り外したときのバッテリー電圧とを比較し、前記バッテリー電圧が測定電圧より高い場合に、前記測定電圧に基づいてバッテリー残量初期値を算出し、当該バッテリーが前記装着部に装着されている間、前記バッテリー残量初期値から前記使用量取得部により取得された使用量を減算することにより現在のバッテリー残量を算出することを特徴とするバッテリー残量管理システム。
【請求項６】
請求項１又は２のバッテリー残量管理システムにおいて、
電源がオフされる際に、前記制御部は、前記装着部に装着されているバッテリーの識別情報、現在のバッテリー残量、及び前記時刻測定部により測定された現在の時刻を前記残量記憶部に記憶させる記憶処理を実行することを特徴とするバッテリー残量管理システム。
【請求項７】
請求項１又は２のバッテリー残量管理システムにおいて、
前記バッテリーが前記装着部から取り外される際に、前記制御部は、前記装着部に装着されているバッテリーの識別情報、現在のバッテリー残量、及び前記時刻測定部により測定された現在の時刻を前記残量記憶部に記憶させる記憶処理を実行することを特徴とするバッテリー残量管理システム。  
【請求項８】
請求項１のバッテリー残量管理システムと、
前記バッテリーとを備えた電子機器。
【発明の詳細な説明】
【技術分野】
【０００１】
本発明は、装着部に接続されるバッテリーのバッテリー残量を表示するバッテリー残量管理システム、及び当該バッテリー残量管理システムを備えた電子機器に関するものである。
【背景技術】
【０００２】
特許文献１には、バッテリーに装着され、自己放電電流による消費電荷量をバッテリー残量初期値から常時減算することによりバッテリー残量を算出し、算出したバッテリー残量を表示するバッテリー残量表示装置が開示されている。
【先行技術文献】
【特許文献】
【０００３】
【特許文献１】特開平５−１０７３２５号公報
【発明の概要】
【発明が解決しようとする課題】
【０００４】
ところで、バッテリー残量管理システムから取り外された状態のバッテリーのバッテリー残量を管理したいという要望、及び複数のバッテリーのバッテリー残量を並列に管理したいという要望がある。
【０００５】
特許文献１には、バッテリー残量表示装置が装着されていない状態のバッテリーのバッテリー残量を表示することや、複数のバッテリーのバッテリー残量を並列に管理することについては記載されていない。
【０００６】
本発明は、上記の点に鑑み、バッテリー残量管理システムから取り外された状態のバッテリーのバッテリー残量を管理できるようにするとともに、複数のバッテリーのバッテリー残量を並列に管理できるようにすることを特徴とする。
【課題を解決するための手段】
【０００７】
上記の課題を解決するため、本発明の第１の態様は、装着部に接続されるバッテリーのバッテリー残量を表示し、電源の供給により駆動されるバッテリー残量管理システムであって、複数のバッテリーについて、識別情報、当該バッテリーが前記装着部に接続されている状態で前記電源が前回オフされた電源オフ時刻、及び当該電源オフ時刻におけるバッテリー残量を対応付けて記憶する残量記憶部と、現在の時刻を測定する時刻測定部と、バッテリー残量の表示対象となるバッテリーの識別情報を特定する特定部と、前記時刻測定部により測定された現在の時刻と、前記特定部により特定された識別情報に対応付けて前記残量記憶部に記憶されている電源オフ時刻との差に基づいて、当該電源オフ時刻からの経過時間を算出する経過時間算出処理、前記経過時間算出処理により算出した経過時間に基づいて、当該経過時間中の消費電荷量を算出する消費電荷量算出処理、及び前記特定部により特定された識別情報に対応付けて前記残量記憶部により記憶されているバッテリー残量、及び前記消費電荷量算出処理により算出した消費電荷量に基づいて、現在のバッテリー残量を算出するバッテリー残量算出処理を実行する制御部と、前記制御部により算出された現在のバッテリー残量を表示する表示部とを備えていることを特徴とする。
【０００８】
また、本発明の第２の態様は、装着部に接続されるバッテリーのバッテリー残量を表示し、電源の供給により駆動されるバッテリー残量管理システムであって、複数のバッテリーについて、識別情報、前記電源をオンにしている状態でバッテリーが前記装着部から前回取り外された電源オフ時刻、及び当該電源オフ時刻におけるバッテリー残量を対応付けて記憶する残量記憶部と、現在の時刻を測定する時刻測定部と、バッテリー残量の表示対象となるバッテリーの識別情報を特定する特定部と、前記時刻測定部により測定された現在の時刻と、前記特定部により特定された識別情報に対応付けて前記残量記憶部に記憶されている電源オフ時刻との差に基づいて、当該電源オフ時刻からの経過時間を算出する経過時間算出処理、前記経過時間算出処理により算出した経過時間に基づいて、当該経過時間中の消費電荷量を算出する消費電荷量算出処理、及び前記特定部により特定された識別情報に対応付けて前記残量記憶部により記憶されているバッテリー残量、及び前記消費電荷量算出処理により算出した消費電荷量に基づいて、現在のバッテリー残量を算出するバッテリー残量算出処理を実行する制御部と、前記制御部により算出された現在のバッテリー残量を表示する表示部とを備えていることを特徴とする。
【０００９】
これらの態様によると、バッテリー残量の表示対象となるバッテリーの識別情報に対応付けて残量記憶部に記憶されている電源オフ時刻に基づいて、バッテリー残量が算出される。したがって、残量記憶部にその識別情報、電源オフ時刻、及びバッテリー残量が記憶されているバッテリーであれば、装着部に接続されていない状態であっても、そのバッテリー残量を表示できる。また、残量記憶部には、複数のバッテリーについて、識別情報、電源オフ時刻、及びバッテリー残量が記憶されているので、複数のバッテリーのバッテリー残量を並列に管理できる。
【発明の効果】
【００１０】
本発明により、バッテリー残量管理システムから取り外された状態のバッテリーのバッテリー残量を管理できるようにするとともに、複数のバッテリーのバッテリー残量を並列に管理できる。
【図面の簡単な説明】
【００１１】
【図１】本発明の実施形態１に係るバッテリー残量管理システムの構成を示すブロック図である。
【図２】本発明の実施形態１に係るバッテリー残量管理システムを搭載したビデオカメラの斜視図である。
【図３】本発明の実施形態１に係る使用量取得部の構成を示すブロック図である。
【図４】本発明の実施形態１に係る経過時間と自己放電によるバッテリー消費量との関係を示すグラフである。
【図５】本発明の実施形態１に係る表示装置に表示される画像を示す図である。
【図６】本発明の実施形態１に係るバッテリー残量管理システムにより実行されるバッテリー残量初期値算出処理を示すフローチャートである。
【図７】本発明の実施形態１に係るバッテリー残量管理システムにより実行されるバッテリー残量管理処理を示すフローチャートである。
【図８】本発明の実施形態１に係るバッテリー残量管理システムにより実行されるバッテリー取り外し処理を示すフローチャートである。
【図９】本発明の実施形態１に係るバッテリー残量管理システムにより実行される非装着バッテリー残量表示処理を示すフローチャートである。
【図１０】本発明の実施形態２に係るバッテリー残量管理システムにより実行されるバッテリー残量初期値算出処理を示すフローチャートである。
【図１１】本発明の実施形態２に係るバッテリー残量管理システムにより実行されるバッテリー取り外し処理を示すフローチャートである。
【発明を実施するための形態】
【００１２】
以下、本発明の実施形態について、図面を参照して説明する。
【００１３】
《実施形態１》  
図１は、本発明の実施形態１に係るバッテリー残量管理システム１００を示す。
【００１４】
バッテリー残量管理システム１００は、バッテリー１０２，１０２’，１０２’’のうちのいずれか１つが接続（装着）される装着部１０１、残量記憶部１０３、時刻測定部１０４、特定部（ＩＤ検出部）１０５、充電部１０６、電圧測定部１０７、使用量取得部１０８、電源オフボタン１０９、残量検出要求ボタン１１０、特性記憶部１１１、ＣＰＵ１１２、表示装置１１３、及び取り外しボタン１１４を備え、図示しない電源の供給により駆動される。
【００１５】
上記バッテリー残量管理システム１００は、図２に示すムービーカメラに搭載されている。図２において、１１５はムービーカメラ本体である。
【００１６】
残量記憶部１０３は、複数のバッテリー１０２，１０２’，１０２’’について、バッテリーＩＤ（識別情報）、当該バッテリーが装着部１０１に装着されている状態で前記電源が前回オフされた電源オフ時刻、及び当該電源オフ時刻におけるバッテリー残量を対応づけて記憶する。
【００１７】
時刻測定部１０４は、現在の時刻を測定する。
【００１８】
特定部１０５は、装着部１０１に装着されているバッテリー１０２，１０２’，１０２’’のバッテリーＩＤ（識別情報）を特定する。
【００１９】
充電部１０６は、装着部１０１に装着されているバッテリー１０２，１０２’，１０２’’を充電する。
【００２０】
電圧測定部１０７は、装着部１０１に装着されているバッテリー１０２，１０２’，１０２’’の電圧を測定する。
【００２１】
使用量取得部１０８は、装着部１０１に装着されているバッテリー１０２，１０２’，１０２’’の電荷使用量を取得するものである。詳しくは、使用量取得部１０８は、図３に示すように、負荷１０８ａ、放電電流検出抵抗１０８ｂ、積分回路１０８ｃ、及び使用量算出カウンタ１０８ｄを備えている。使用量取得部１０８により取得される電荷使用量は、バッテリー１０２，１０２’，１０２’’のいずれか１つが装着部１０１に装着され、かつ電源がオンされた状態の成立時から現在までの使用量である。
【００２２】
負荷１０８ａの一端は、装着部１０１に装着されているバッテリー１０２，１０２’，１０２’’に接続され、負荷１０８ａの他端には、放電電流検出抵抗１０８ｂの一端が接続され、放電電流検出抵抗１０８ｂの他端は接地されている。
【００２３】
積分回路１０８ｃは、放電電流検出抵抗１０８ｂに流れる放電電流を積分することにより、放電電流による消費電荷量を算出する。
【００２４】
使用量算出カウンタ１０８ｄは、積分回路１０８ｃにより算出された消費電荷量をカウントすることによりバッテリー使用量を算出する。
【００２５】
電源オフボタン１０９は、押されると、押されたことを示す第１の制御信号を出力する。この電源オフボタン１０９が押されると、電源がオフするようになっている。
【００２６】
残量検出要求ボタン１１０は、押されると、押されたことを示す第２の制御信号を出力する。
【００２７】
取り外しボタン１１４は、押されると、押されたことを示す第３の制御信号を出力する。取り外しボタン１１４が押されると、バッテリー１０２，１０２’，１０２’’が装着部１０１から取り外されるようになっている。取り外しボタン１１４は、例えばバッテリー１０２，１０２’，１０２’’のロックを外すようなもので構成される。
【００２８】
特性記憶部１１１は、図４に示すような、経過時間と自己放電によるバッテリー消費量との関係を示す自己放電特性データを記憶している。
【００２９】
ＣＰＵ１１２は、種々の演算、及び他のブロックの制御を行う。その詳細な動作については後述する。
【００３０】
表示装置１１３は、図５に示すように、全てのバッテリー１０２，１０２’，１０２’’のバッテリー残量を表示する。
【００３１】
以上のように構成されたバッテリー残量管理システム１００によるバッテリー残量初期値算出処理について、図６のフローチャートを参照して説明する。
【００３２】
まず、（Ｓ１００１）でバッテリー１０２が装着部１０１に装着され、（Ｓ１００２）でバッテリー残量管理システム１００を駆動する電源がオンにされると、（Ｓ１００３）で特定部１０５が、装着部１０１に装着されているバッテリー１０２のバッテリーＩＤを読み出して特定する。
【００３３】
次に、（Ｓ１００４）において充電部１０６による充電が行われているか否かをＣＰＵ１１２が判定する。充電が行われている場合には、処理が（Ｓ１００５）に進む一方、充電が行われていない場合には、処理が（Ｓ１００８）に進む。
【００３４】
（Ｓ１００５）で充電が完了すると、（Ｓ１００６）で電圧測定部１０７が、装着部１０１に装着されているバッテリー１０２の電圧を測定する。次いで、（Ｓ１００７）でＣＰＵ１１２が、測定された電圧に基づいてバッテリー残量初期値を算出する。これにより、バッテリー残量初期値算出処理が終了する。
【００３５】
一方、処理が（Ｓ１００８）に進んだ場合、（Ｓ１００８）において、ＣＰＵ１１２が、残量記憶部１０３によりバッテリー１０２のバッテリーＩＤと対応付けて記憶されている前記電源が前回オフされた電源オフ時刻、及び当該電源オフ時刻におけるバッテリー残量を読み出す。
【００３６】
次に、（Ｓ１００９）において、時刻測定部１０４が現在の時刻を測定する。
【００３７】
次に、（Ｓ１０１０）において、ＣＰＵ１１２が、（Ｓ１００９）で測定された現在の時刻と、バッテリー１０２のバッテリーＩＤに対応付けて残量記憶部１０３に記憶されている電源オフ時刻との差に基づいて、当該電源オフ時刻からの経過時間を算出する。
【００３８】
続いて、（Ｓ１０１１）において、ＣＰＵ１１２が、（Ｓ１０１０）で算出した経過時間と特性記憶部１１１により記憶されている自己放電特性データとに基づいて、当該経過時間中の消費電荷量を算出する。
【００３９】
そして、（Ｓ１０１２）において、ＣＰＵ１１２が、バッテリー１０２のバッテリーＩＤに対応付けて残量記憶部１０３に記憶されているバッテリー残量から、（Ｓ１０１１）で算出した消費電荷量を減算することにより、バッテリー１０２のバッテリー残量初期値を算出する。これにより、バッテリー残量初期値算出処理が終了する。
【００４０】
次に、装着部１０１に装着されたバッテリー１０２の電源がオンされている状態におけるバッテリー残量の管理処理について、図７のフローチャートを参照して説明する。
【００４１】
まず、（Ｓ２００１）において、ＣＰＵ１１２が、使用量取得部１０８により取得されたバッテリー１０２のバッテリー使用量を取得する。
【００４２】
次に、（Ｓ２００２）において、ＣＰＵ１１２が、前記バッテリー残量初期値算出処理により算出されたバッテリー残量初期値から（Ｓ２００１）で取得したバッテリー使用量を減算することにより、バッテリー残量を算出する。
【００４３】
最後に、（Ｓ２００３）において、表示装置１１３が、バッテリー１０２のバッテリーＩＤと（Ｓ２００２）で算出したバッテリー残量とをセットで表示する。
【００４４】
（Ｓ２００１）〜（Ｓ２００３）の処理により、電源がオンされている状態で装着部１０１に装着されているバッテリー１０２のバッテリー残量を管理できる。
【００４５】
次に、バッテリー１０２が取り外される際のバッテリー残量管理システム１００による処理について、図８のフローチャートを参照して説明する。
【００４６】
まず、（Ｓ３００１）において、電源オフボタン１０９が押されると、電源オフボタン１０９により第１の制御信号が出力され、ＣＰＵ１１２は、この第１の制御信号を割り込み要求とみなし、以下の（Ｓ３００２）〜（Ｓ３００４）の割込処理を実行する。
【００４７】
（Ｓ３００２）において、ＣＰＵ１１２は、時刻測定部１０４により測定された現在の時刻を取得する。
【００４８】
（Ｓ３００３）において、ＣＰＵ１１２は、（Ｓ３００２）で取得した時刻と、電源オフ時点でのバッテリー１０２のバッテリー残量とを、バッテリー１０２のバッテリーＩＤと対応付けて残量記憶部１０３に記憶させる。
【００４９】
（Ｓ３００４）において、ＣＰＵ１１２は、電源をオフする。
【００５０】
最後に、（Ｓ３００５）において、バッテリー１０２が取り外され、バッテリー取り外し処理が終了する。
【００５１】
また、電源がオンしている状態で取り外しボタン１１４が押された場合にも、取り外しボタン１１４により第３の制御信号が出力され、ＣＰＵ１１２は、この第３の制御信号を割り込み要求とみなし、上記（Ｓ３００２）及び（Ｓ３００３）の処理を実行する。
【００５２】
さらに、装着部１０１にバッテリー１０２’又はバッテリー１０２’’が装着されている場合に、装着部１０１に装着されていないバッテリー１０２の残量を表示する非装着バッテリー残量表示処理について、図９のフローチャートを参照して説明する。
【００５３】
まず、（Ｓ４００１）で、バッテリー１０２’又はバッテリー１０２’’が装着部１０１に装着され、（Ｓ４００２）で、バッテリー残量管理システム１００を駆動する電源がオンにされ、（Ｓ４００３）で、残量検出要求ボタン１１０が押されると、残量検出要求ボタン１１０により第２の制御信号が出力され、ＣＰＵ１１２は、この第２の制御信号を割り込み要求とみなし、以下の（Ｓ４００４）〜（Ｓ４００８）の割込処理を実行する。
【００５４】
（Ｓ４００４）において、ＣＰＵ１１２は、時刻測定部１０４により測定された現在の時刻を取得する。
【００５５】
（Ｓ４００５）において、ＣＰＵ１１２は、（Ｓ４００４）で測定された現在の時刻と、バッテリー１０２のバッテリーＩＤに対応付けて残量記憶部１０３に記憶されている電源オフ時刻との差に基づいて、当該電源オフ時刻からの経過時間を算出する。
【００５６】
（Ｓ４００６）において、ＣＰＵ１１２が、（Ｓ４００５）で算出された経過時間と、特性記憶部１１１により記憶されている自己放電特性データとに基づいて、当該経過時間中の消費電荷量を算出する。
【００５７】
（Ｓ４００７）において、ＣＰＵ１１２が、バッテリー１０２のバッテリーＩＤに対応付けて残量記憶部１０３に記憶されているバッテリー残量から、（Ｓ４００６）で算出した消費電荷量を減算することにより、バッテリー１０２のバッテリー残量初期値を算出する。
【００５８】
（Ｓ４００８）において、ＣＰＵ１１２が、（Ｓ４００７）で算出したバッテリー残量初期値を表示装置１１３に表示させる。
【００５９】
本実施形態１によると、自己放電を考慮してバッテリー残量を算出するので、算出の精度が向上する。
【００６０】
また、一度バッテリー残量管理システムに装着したバッテリーであれば、バッテリーを取り外した時点でのバッテリー残量がそのバッテリＩＤとともに残量記憶部１０３に記憶される。したがって、バッテリー１０２，１０２’，１０２’’のうちのいずれか１つを装着部１０１に装着した状態で電源をオンすることにより、装着部１０１に装着されているバッテリーだけでなく、取り外されているバッテリーのバッテリー残量を表示装置１１３に表示させることができる。この表示を認識して最適なバッテリーを使用することにより、電池切れにより撮影ができなくなることを回避できる。
【００６１】
また、残量検出要求ボタン１１０が押された場合にのみバッテリー残量の算出を行えばよいので、常に算出を行う場合に比べて、消費電力を削減できる。
【００６２】
《実施形態２》
実施形態２に係るバッテリー残量管理システム１００は、充電部１０６を備えていない点で、実施形態１のバッテリー残量管理システム１００と異なっているが、他の構成は、実施形態１のバッテリー残量管理システム１００と同様である。
【００６３】
また、本実施形態２に係るバッテリー残量管理システム１００は、実施形態１で説明した図７及び図９の処理を実行する。
【００６４】
図１０は、本実施形態２のバッテリー残量管理システム１００によるバッテリー残量初期値算出処理を示す。このバッテリー残量初期値算出処理は、（Ｓ１００３）の処理の後、以下に説明する（Ｓ５００１）〜（Ｓ５００４）の処理を実行する点で、実施形態１の図６の処理と異なっている。
【００６５】
（Ｓ５００１）では、ＣＰＵ１１２が、残量記憶部１０３から、バッテリー１０２のバッテリーＩＤと対応付けて記憶されている前回取り外し時のバッテリー電圧V(old)を読み出す。
【００６６】
（Ｓ５００２）では、ＣＰＵ１１２が、電圧測定部１０７により測定されている現在のバッテリー電圧V(now)（測定電圧）を取得する。
【００６７】
（Ｓ５００３）では、ＣＰＵ１１２が、（Ｓ５００１）において読み出したバッテリー電圧V(old)と（Ｓ５００２）において取得した現在のバッテリー電圧V(now)とを比較する。
【００６８】
（Ｓ５００４）では、（Ｓ５００３）における比較結果に基づいて、（Ｓ５００１）において読み出したバッテリー電圧V(old)が（Ｓ５００２）において取得した現在のバッテリー電圧V(now)よりも小さい場合には（Ｓ１００７）に進む。この場合、バッテリー１０２が、装着部１０１に装着されていない状態で（バッテリー残量管理システム１００の外部で）充電されたと判断される。一方、（Ｓ５００１）において読み出したバッテリー電圧V(old)が（Ｓ５００２）において取得した現在のバッテリー電圧V(now)よりも大きい場合には（Ｓ１００８）に進む。この場合、バッテリー１０２が、装着部１０１に装着されていない状態で（バッテリー残量管理システム１００の外部で）充電されていないと判断される。
【００６９】
図１１は、バッテリー１０２が取り外される際の本実施形態２のバッテリー残量管理システム１００による処理を示す。この処理は、（Ｓ３００３）の処理に代えて、以下に説明する（Ｓ６００１）及び（Ｓ６００２）の処理を実行する点で、実施形態１の図８の処理と異なっている。
【００７０】
（Ｓ６００１）では、ＣＰＵ１１２が、電圧測定部１０７により測定されている現在のバッテリー電圧を取得する。
【００７１】
（Ｓ６００２）では、ＣＰＵ１１２が、（Ｓ３００２）で取得した時刻と、電源オフ時点でのバッテリー１０２のバッテリー残量と、（Ｓ６００１）で取得したバッテリー電圧とを、バッテリー１０２のバッテリーＩＤと対応付けて残量記憶部１０３に記憶させる。
【００７２】
本実施形態２によると、実施形態１と同様の効果を得ることができる。
【００７３】
なお、上記実施形態１，２では、表示装置１１３が、残量記憶部１０３に記憶されている全てのバッテリー１０２，１０２’，１０２’’のバッテリー残量を表示したが、バッテリーＩＤが指定され、指定されたバッテリーＩＤに対応するバッテリー残量のみを表示するようにしてもよい。
【００７４】
また、上記実施形態１，２では、バッテリー残量管理システム１００をムービーカメラ（ビデオカメラ）に搭載したが、電子スチールカメラ、携帯ゲーム機等の他の電子機器に搭載してもよい。
【００７５】
また、上記実施形態１，２では、バッテリー残量管理システム１００に取り外しボタン１１４を設けたが、必ずしも設けなくてもよい。
【産業上の利用可能性】
【００７６】
本発明に係るバッテリー残量管理システム、及び電子機器は、装着部に接続されるバッテリーのバッテリー残量を表示する技術として有用である。
【符号の説明】
【００７７】
１００      バッテリー残量管理システム 
１０１      装着部 
１０２，１０２’，１０２’    バッテリー 
１０３      残量記憶部 
１０４      時刻測定部 
１０５      特定部 
１０６      充電部 
１０７      電圧測定部 
１０８      使用量取得部 
１０９      電源オフボタン 
１１０      残量検出要求ボタン 
１１２      ＣＰＵ（制御部） 
１１３      表示装置（表示部） 
１１４      取り外しボタン 
【図１】
2011220973.tif 000003
【図２】
2011220973.tif 000004
【図３】
2011220973.tif 000005
【図４】
2011220973.tif 000006
【図５】
2011220973.tif 000007
【図６】
2011220973.tif 000008
【図７】
2011220973.tif 000009
【図８】
2011220973.tif 000010
【図９】
2011220973.tif 000011
【図１０】
2011220973.tif 000012
【図１１】
2011220973.tif 000013